(57)【要約】【課題】            室内空気の状態量を正確に検知して確度の高い制御動作を行わすことができる空調換気システムを提供する。【解決手段】        外気と室内空気を取入れ、これらを混合した混合気を冷却・加温加工して冷・暖房空気として室内へ供給する空調装置と、室内を換気する換気装置とを備えた空調換気システムについて、室内の状態量を検知する温度センサー１４と湿度センサー１５を備え、この温度センサー１４と湿度センサー１５の検知出力に基づいて空調装置や換気装置を制御する制御手段を有し、温度センサー１４と湿度センサー１５は、室内空気を取込むために設けた吸気チャンバー８の室内吸込口１１に臨んで配置されている。【選択図】          図２
2006275461.tif 000002
【特許請求の範囲】
【請求項１】
外気と室内空気を取入れ、これらを混合した混合気を冷却・加温加工して冷・暖房空気として室内へ供給する空調装置と、室内を換気する換気装置とを備えた空調換気システムであって、室内の状態量を検知する状態量検知手段を備え、この状態量検知手段の検知出力に基づいて前記空調装置や前記換気装置を制御する制御手段を有し、前記状態量検知手段は、室内空気を取込むために設けた吸気チャンバーの室内吸込口に臨んで配置されている空調換気システム。
【請求項２】
請求項１に記載の空調換気システムであって、吸気チャンバーをグラスウールボードで構成した空調換気システム。
【請求項３】
請求項１又は請求項２のいずれかに記載の空調換気システムであって、吸気チャンバーの室内吸込口にマグネット式開閉機構を備えた開閉可能のグリルを設けた空調換気システム。
【請求項４】
請求項１〜請求項３までのいずれかに記載の空調換気システムであって、吸気チャンバーの室内吸込口に機能の異なる複数の空気清浄フィルターを設けた空調換気システム。
【請求項５】
請求項１〜請求項４までのいずれかに記載の空調換気システムであって、吸気チャンバーと空調装置を繋ぐダクトとに消音構造を設けた空調換気システム。
【発明の詳細な説明】
【技術分野】
【０００１】
本発明は、外気と室内空気を取入れ、これらを混合した混合気を加工して冷・暖房空気として室内へ供給する空調装置と、室内空気を室外へ排気して室内を換気する換気装置とで構成される空調換気システムに関するものである。
【背景技術】
【０００２】
外気と室内空気を取入れ、これらを混合した混合気を加工して冷・暖房空気として室内へ供給する空調装置と、室内を換気する換気装置とで構成された空調換気システムでは、例えば、特許文献１に示されているように室内空気を取込むための吸気チャンバーが部屋の天井等に配置されている。こうした空調換気システムについてマンション等の住宅に構築されるものでは、特に騒音を低減する工夫が払われている。騒音を下げるための従来技術としては、例えば特許文献２に示されている。
【０００３】
【特許文献１】特開平７−２０８７６７号公報
【特許文献２】実願平１１−７３１９号
【発明の開示】
【発明が解決しようとする課題】
【０００４】
従来のこの種の空調換気システムには、空調装置や換気装置を制御する制御手段が備えられている。制御手段の制御情報としては、室内空気の温度や湿度といった室内の状態量が主なものとして取込まれることが多い。外気と室内空気を混合した混合気を加工して室内に供給するこうしたシステムにおいては、状態量を検知する状態量検知手段の設置場所が問題となる。空調装置に設けた場合、室内空気の状態量を正確に検知することはできず、室内に設けた場合でも、加工空気の流れる経路によっては、同様に正確な状態量を検知することは難しい。サニタリー等に設置される換気装置の室内吸込口は、室内空気の流路の最下流部となるため、当該部分に状態量検知手段を配置すれば室内空気の状態量を正確に検知することができるが、空調装置と換気装置は離れて設置されることが多く、配線の問題等、面倒な問題が伴う。
【０００５】
また、運転騒音についても、マンション等に構築するシステムでは、室内空気を取込む吸気チャンバーと空調装置の間の距離はかなり短くなり、沿面距離を長く取って騒音の低減を図る技術をそのまま採用することはできない。
【０００６】
本発明は、上記した課題を解決するためになされたものであり、その目的とするところは、室内空気の状態量を正確に検知して確度の高い制御動作を行わすことができる空調換気システムを提供することであり、その空調換気システムの騒音の低減を推進することであり、そして、機能の充実を図り、保守性の向上を図ることである。
【課題を解決するための手段】
【０００７】
上記課題を解決するために本発明は、外気と室内空気を取入れ、これらを混合した混合気を冷却・加温加工して冷・暖房空気として室内へ供給する空調装置と、室内を換気する換気装置とを備えた空調換気システムについて、室内の状態量を検知する状態量検知手段を備え、状態量検知手段の検知出力に基づいて空調装置や換気装置を制御する制御手段を有するものに、状態量検知手段を、室内空気を取込むために設けた吸気チャンバーの室内吸込口に臨んで配置する手段を採用する。
【０００８】
また、他の発明は、空調換気システムについて、室内空気を取込む吸気チャンバーと空調装置を繋ぐダクトとに消音構造を設ける手段を採用する。
【発明の効果】
【０００９】
本発明によれば、室内空気を取込む吸気チャンバーの室内吸込口に臨んで状態量検知手段を配設したため、より現状の室内空気の状態量を検知でき、確度の高い制御動作を行わすことができる。そして制御手段とは近い場所なので配線の煩わしさも低減する。
【００１０】
また、他の発明によれば、空調装置からダクトを経て吸気チャンバーから室内に伝播する騒音を軽減することができる。
【発明を実施するための最良の形態】
【００１１】
本発明の空調換気システムは、マンションなど住居全体の空調と換気を行うものである。システム構成としては、外気と室内空気を取入れ、これらを混合した混合気を冷却・加温加工して冷・暖房空気として室内へ供給する空調装置と、室内を換気する換気装置が主体で、暖房用熱源発生機または冷暖房用熱源発生機を除けば、ほとんどの機器は、天井裏空間に設置されている。空調装置の加工空気は給気チャンバーにダクトで繋がり、給気チャンバーを介して各部屋にダクトを経て給気される。各部屋はガラリ等を通じて繋がっていて、廊下等の天井に設けられた吸気チャンバーから室内空気が吸込まれ、ダクトを介して空調装置に加工用空気として送られる。換気装置は、吸排気式の熱交換換気装置であり、サニタリー等の天井裏に設けられ、排気のための室内吸込口は、ダクトを介してサニタリー等の室内に連絡されている。換気装置の外気吸込口は、屋外にダクトで繋がっていて、外気吹出口は、吸気チャンバーにダクトで接続されている。つまり、加工用空気は、熱交換後の外気と室内空気とが混ざり合った混合気であり、冷房コイルや暖房コイルで冷・暖加工して冷・暖房空気として各室内へ供給される。吸気チャンバーは、下面に室内空気を取込む室内吸込口があり、一側に換気装置からの外気を導入する導入口が、その対向側に混合気の出口が設けられている。そして室内吸込口の導入口と出口とを結ぶ線から外れた所に室内空気の状態量を検知する状態量検知手段が設けられ、空調装置に設けられた制御手段に検知出力が出力される。制御手段は、この検知出力に基づいて空調装置や換気装置を制御する。また、吸気チャンバーには、出口と室内吸込口との間に横断状の庇形態に消音構造が設けられ、出口と空調装置を結ぶダクトにも上下千鳥に消音構造が設けられている。
【００１２】
この空調換気システムでは、室内空気の状態量を室内吸込口の導入口から離れた場所に設けているので、室内空気の状態量を確実に検知して制御情報として制御手段に送ることができ、確度の高い制御動作が可能となる。そして、空調装置から伝播する運転騒音は、ダクトの消音構造による障壁作用と沿面距離の長さによる減衰作用で減衰され、さらに吸気チャンバーの消音構造により減衰され、室内へはあまり伝わらない。
【００１３】
実施の形態１．
図１〜図７によって示す本実施の形態は、天井裏空間に設置して住居全体の空調換気を行う空調換気システムに関するものである。図１は、空調換気システムのシステム構成図、図２は、吸気チャンバーを示す拡大断面図、図３は、消音構造を示す平面構成図、図４は、図３の正面構成図、図５は、他の消音構造を示す平面構成図、図６は、図５の正面構成図、図６は、消音スリットを設けた場合の騒音分析を示す説明図である。
【００１４】
本発明の空調換気システムは、マンションなど住居全体の空調と換気を行うものである。この空調換気システムの構成は、図１に示すように外気と室内空気を取入れ、これらを混合した混合気を冷却・加温加工して冷・暖房空気として室内へ供給する空調装置１と、室内を換気する換気装置２を主体としている。空調装置１の暖房用熱源発生機３または冷暖房用熱源発生機４を除けば、ほとんどの附帯機器は、天井裏空間に設置されている。空調装置１の加工空気は、ダクト５で給気チャンバー６に送られる。加工空気は、給気チャンバー６からダクト５を介して各部屋Ａ〜Ｃの天井に設けられた給気吹出口７に送られる。各部屋Ａ〜Ｄはガラリ等を通じて繋がっていて、廊下等の天井に設けられた吸気チャンバー８から室内空気が吸込まれ、ダクト５を介して空調装置１に加工用空気として送られる。
【００１５】
換気装置２は、吸排気式の熱交換換気装置であり、サニタリー等の天井裏に設けられ、排気のための室内吸込口は、ダクト５を介してサニタリー等の部屋Ｄに連絡されている。換気装置２の外気吸込口は、屋外にダクト５で繋がっていて、外気吹出口は、吸気チャンバー８にダクト５で接続されている。つまり、加工用空気は、熱交換後の外気と室内空気とが混ざり合った混合気であり、冷房コイル９や暖房コイル１０で冷・暖加工して冷・暖房空気として各室内へ供給される。なお、換気装置２についは同時給排気するものでも排気専用のものでもよい。
【００１６】
吸気チャンバー８は、下面に室内空気を取込む室内吸込口１１があり、一側に換気装置からの外気を導入する導入口１２が、その対向側に混合気の出口１３が設けられた箱構造体で、グラスウールと不織布で作られたグラスウールボードで構成されている。そして、その外殻の外側にはアルミ箔が貼設され、防音とともに結露の発生が防止される。室内吸込口１１の、導入口１２と出口１３とを結ぶ線から外れた所に室内空気の状態量を検知する状態量検知手段として、温度センサー１４と湿度センサー１５がボックスに収められて設けられ、空調装置１に設けられた制御手段１６にそれらの検知出力が出力される（図２参照）。制御手段１６は、この検知出力に基づいて空調装置１や換気装置２を制御する。
【００１７】
吸気チャンバー８の室内吸込口１１には、マグネット式開閉機構１７を備えたグリル１８が回動可能に設けられ、閉じ状態から回動側を押圧することで簡単に開放させることができ、開放状態から閉止状態に回動させることで、閉止状態にさせることがワンタッチでできる。吸気チャンバー８の室内吸込口１１には、機能の異なる複数の空気清浄フィルター１９が設けられている。空気清浄フィルター１９としては、除塵フィルターや脱臭フィルターやＶＯＣ除去フィルターである。これにより、加工用空気をより清浄なものとすることができる。これらの空気清浄フィルター１９のメンテナンスは、グリル１８がマグネット式開閉機構１７を備えたものであるので容易に行うことができる。
【００１８】
また、吸気チャンバー８と、出口１３と空調装置１を結ぶダクト５には、図３や図５に示すような消音構造が設けられている。図３は、出口１３から空調装置１までの距離が長い場合、例えば０．５ｍ以上の消音構造で、吸気チャンバー８とダクト５を二列の消音スリット２０で縦断させたものである。消音スリット２０、ダクト５についてもグラスウールボードで構成されている。図５は、出口１３から空調装置１までの距離が短い場合、例えば０．５ｍ未満の消音構造で、吸気チャンバー８の出口１３を横断する庇形態の遮音板２１が設けられ、出口１３と空調装置１を結ぶダクト５にも上下千鳥に複数の遮音板２１が設けられている。
【００１９】
この空調換気システムでは、室内空気の状態量を検知する温度センサー１４及び湿度センサー１５を室内吸込口１１の導入口１２から離れた場所に設けているので、室内空気の状態量を確実に検知して制御情報として制御手段１６に送ることができ、確度の高い制御動作が可能となる。そして、空調装置１から伝播する運転騒音は、ダクト５の消音構造による障壁作用と沿面距離の長さによる減衰作用で減衰され、さらに吸気チャンバー８の消音構造により減衰され、室内へはあまり伝わらない。図７に、消音スリット２０を設けた場合の室内吸込口１１直下での騒音分析表を示した。４〜８ｄＢほどの騒音が低減する結果となっている。
【図面の簡単な説明】
【００２０】
【図１】空調換気システムのシステム構成図である。（実施の形態１）
【図２】吸気チャンバーを示す拡大断面図である。（実施の形態１）
【図３】消音構造を示す平面構成図である。（実施の形態１）
【図４】図３の正面構成図である。（実施の形態１）
【図５】他の消音構造を示す平面構成図である。（実施の形態１）
【図６】図５の正面構成図である。（実施の形態１）
【図７】消音スリットを設けた場合の騒音分析を示す説明図である。（実施の形態１）
【符号の説明】
【００２１】
１  空調装置、  ２  換気装置、  ５  ダクト、  ８  吸気チャンバー、  １１  室内吸込口、  １２  導入口、  １３  出口、  １４  温度センサー、  １５  湿度センサー、  １６  制御手段、  １７  マグネット式開閉機構、  １８  グリル、  １９  空気清浄フィルター、  ２０  消音スリット、  ２１  遮音板。
【図１】
2006275461.tif 000003
【図２】
2006275461.tif 000004
【図３】
2006275461.tif 000005
【図４】
2006275461.tif 000006
【図５】
2006275461.tif 000007
【図６】
2006275461.tif 000008
【図７】
2006275461.tif 000009